(57)【要約】【課題】平形導体，Ｌ形導体のいずれにも対応可能で、かつ組立作業性の改善が図れるよう構造を改良した電力設備（引出し形回路遮断器）の主回路端子支持具を提供する。【解決手段】絶縁バー５に端子取付部７を設け、該端子取付部に平形導体もしくはＬ形導体の主回路端子をねじ締結して相手側の電力機器（例えば、引出し形回路遮断器）に接続するようにした主回路端子支持具において、絶縁バーに一体成形したアーム状の端子取付部に、平形導体の主回路端子に対応する横向きの支持座７ａ，およびＬ形導体の主回路端子に対応する縦向きの支持座７ｂを併設した上で、各支持座にボルト穴７ｃ，７ｄを開口し、さらに前記支持座７ａの一部を共用支持座としてここに平形，Ｌ形の各主回路端子の導体に穿孔した穴に嵌合する位置決め兼用の掛合突起７ｆを設ける。【選択図】      図１
2004336964.tif 000002
【特許請求の範囲】
【請求項１】
絶縁バーに端子取付部を設け、該端子取付部に平形導体もしくはＬ形導体の主回路端子をねじ締結して相手側の電力機器に接続するようにした電力設備用の主回路端子支持具において、
前記の端子取付部に、平形導体の主回路端子に対応するボルト穴付き支持座と、該支持座の一部を共用支持座としてこれと直交する向きにＬ形導体の主回路端子に対応するボルト穴付き支持座を併設したことを特徴とする電力設備用の主回路支持具。
【請求項２】
請求項１に記載の主回路端子支持具において、平形導体およびＬ形導体の各支持座に形成したボルト穴を１か所とし、かつ共用支持座部分には平形，Ｌ形の各主回路端子の導体に穿孔した穴に嵌合する位置決め兼用の掛合突起を設けたことを特徴とする電力設備用の主回路端子支持具。
【請求項３】
請求項１または２に記載の主回路端子支持具において、１本の絶縁バーの長手方向に分散して電力機器の各相に対応する複数の端子取付部を分岐形成したことを特徴とする電力設備用の主回路端子支持具。
【請求項４】
請求項３に記載の主回路端子支持具において、電力機器の電源側および負荷側の各相に対応する端子取付部を二手に分けて絶縁バーに分岐形成したことを特徴とする電力設備用の主回路端子支持具。
【請求項５】
請求項１ないし４に記載の主回路端子支持具において、主回路端子の接続相手の電力機器が引出し形回路遮断器であり、該回路遮断器から背後に引出した一次断路部に対峙して主回路端子を支持した絶縁バーを主遮断器の収納用固定枠に架設したことを特徴とする電力設備用の主回路端子支持具。
【発明の詳細な説明】
【０００１】
【発明の属する技術分野】
本発明は、例えば高圧受電設備（配電盤）に装備した引出し形回路遮断器を実施対象に、該回路遮断器を収納する固定枠に装着して回路遮断器の一次側断路部に接続するようにした主回路端子の支持具に関する。
【０００２】
【従来の技術】
頭記の引出し形回路遮断器に接続する主回路端子を対象として、引出し形回路遮断器を収納する固定枠に装着した主回路端子支持具の従来例（例えば、特許文献１参照。）を図６，および図７に示す。
各図において、１は引出し形回路遮断器、２は底板２ａと該底板の後部に立設した左右の側板２ｂで構築した遮断器収納用の固定枠、３，４は固定枠２の側板２ｂに架設した絶縁バー（樹脂成形品）５に取付けて回路遮断器１から背後に引出した電源側，負荷側の差込形一次断路部１ａに接続する主回路端子である。
【０００３】
ここで、主回路端子３は導体の一端を固定枠２の背後に引出した平形導体の端子、また主回路端子４は導体をＬ字形に屈曲してその一端を上下に引出すようにしたＬ形導体の端子であり、その電源側の各相端子を３Ｒ，３Ｓ，３Ｔおよび４Ｒ，４Ｓ，４Ｔ、負荷側の各相端子を３Ｕ，３Ｖ，３Ｗおよび４Ｕ，４Ｖ，４Ｗで表している。また、固定枠２には電源側，負荷側に分けて２本の絶縁バー５が左右側板２ｂの間に架設されており、各絶縁バー５にはそれぞれ電源側，負荷側の各相に対応する前記の主回路端子が図示のように長手方向に分散して個々に２本のボルト６で締結固定されている。
【０００４】
【特許文献１】
特公平６−６９２４７号公報（図１，図２）
【０００５】
【発明が解決しようとする課題】
ところで、前記した従来構造の主回路端子接続具は、固定枠への組付け施工面で次記のような問題点がある。すなわち、
（１）  使用する主回路接触子の種類，すなわち平形導体の接触子３，Ｌ形導体の接触子４によって固定枠２に架設する絶縁バー５の向き，架設位置を切替えるほか、接触子導体１個当たりに２本のボルト６を使って主回路接触子３，４を絶縁バー５に取付けるようにしているために組立工数が多くなる。
（２）  また、電源側，負荷側の主回路端子を上下に並ぶ２本の絶縁バー５に振り分けた上で、回路遮断器１から背後に引出した電源側，負荷側の一次断路部１ａと接続するようにしているために、各本の絶縁バー５ごとにその架設位置（高さ）を調整する必要があって、その組立施工には手間がかかる。
【０００６】
本発明は上記の点に鑑みなされたものであり、その目的は前記課題を解決し、施工面での組立作業性改善が図れるよう構造を改良して平形端子，Ｌ形端子のいずれにも対応可能な電力設備用の主回路端子支持具を提供することにある。
【０００７】
【課題を解決するための手段】
上記目的を達成するために、本発明によれば、絶縁バーに端子取付部を設け、該端子取付部に平形導体もしくはＬ形導体の主回路端子をねじ締結して相手側の電力機器に接続するようにした電力設備用の主回路端子支持具において、
前記の端子取付部に、平形導体の主回路端子に対応するボルト穴付き支持座と、該支持座の一部を共用支持座としてこれと直交する向きにＬ形導体の主回路端子に対応するボルト穴付き支持座を併設する（請求項１）ものとし、その実施には次記のような具体的な態様で構成することができる。
【０００８】
（１）  平形導体およびＬ形導体の各支持座に形成したボルト穴を１か所とし、かつ共用支持座の部分には平形，Ｌ形の各主回路端子の導体に穿孔した穴に嵌合する位置決め兼用の掛合突起を設ける（請求項２）。
（２）  １本の絶縁バーの長手方向に分散して電力機器の各相に対応する複数の端子取付部を分岐形成する（請求項３）。
（３）  前項（２）  の絶縁バーに対し、電力機器の電源側および負荷側の各相に対応する端子取付部を二手に分けて分岐形成する（請求項４）。
（４）  また、前記の各項における主回路端子は、その接続相手の電力機器を引出し形回路遮断器として、該回路遮断器から背後に引出した一次断路部に対峙して絶縁バーを遮断器の収納用固定枠に設置する（請求項５）。
【０００９】
上記構成の支持具を、引出し形回路遮断器の一次断路部に接続する主回路端子の支持具として採用すれば、絶縁バーを共用支持部品として平形，Ｌ形のいずれの主回路端子にも対応させることができる。しかも、主回路端子の固定には、主回路端子１個あたりボルト１本で定位置に位置決め固定でき、また回路遮断器の電源側，負荷側の各相に対応する主回路端子を全て１本の絶縁バーに集約して取付けることで主回路端子の位置調整が不要となるなど、従来構成の主回路端子支持具と比べて組立ての作業工数を大幅に削減できる。
【００１０】
【発明の実施の形態】
以下、本発明の実施の形態を図１〜図５に示す実施例に基づいて説明する。なお、実施例の図中で図６，図７に対応する部材には同じ符号を付してその説明は省略する。
まず、図６，図７に対応する本発明の実施例の全体構成を図４，図５に示す。すなわち、引出し形回路遮断器を収納する固定枠２の後部側壁２ｂには１本の絶縁バー５が架設されており、この絶縁バー５を共用支持部品として平形主回路端子３の各相に対応する電源側，負荷側の端子３Ｒ〜３Ｔおよび３Ｕ〜３Ｗ（図５参照）、もしくはＬ形主回路端子４の各相に対応する電源側，負荷側の端子４Ｒ〜４Ｔおよび４Ｕ〜４Ｗ（図６参照）が、図示のように絶縁バー５と一体にその長手方向に沿って上下列に分岐成形したアーム状の端子取付部７に取付けられており、この主回路端子を引出し形回路遮断器の一次断路部（図６，図７参照）に接続するようにしている。
【００１１】
次に、本発明の主回路端子支持具の主要部をなす前記端子取付部７の詳細構造を図１（ａ），（ｂ）  で説明する。すなわち、絶縁バー５（樹脂成形品）と一体成形して上下方向に突出するアーム状の端子取付部７には、平形導体の主回路端子３に対応する横向きの支持座７ａと、Ｌ形導体の主回路端子４に対応する縦向きの支持座７ｂと、各支持座７ａ，７ｂの座面に開口するボルト穴７ｃ，７ｄと、前記支持座７ｂを前後方向に貫通する貫通穴７ｅと、支持座７ａの一端側に形成した掛合突起７ｆが形成されている。
上記構成の端子取付部７に対して、平形主回路端子３は図２（ａ），（ｂ）  で示すように固定支持される。ここで、平形主回路端子３は平角導体で作られ、その端子導体にはあらかじめ前記したボルト穴７ｃおよび掛合突起７ｆにそれぞれ対応する穴を穿孔しておく。そして、図示のように端子導体を前記貫通穴７ｅに通して支持座７ａの上に載置し、かつ導体の掛合穴３ａを支持座側の掛合突起７ｆに嵌合して定位置に位置決めした上で、一本のボルト６をボルト穴７ｃ（図１参照）に通して締結する。
【００１２】
一方、主回路端子として平角導体をＬ字形に屈曲したＬ形主回路端子４を採用する場合には、図３（ａ），（ｂ）  で示すように、絶縁バー５の向きはそのままに、Ｌ形端子導体の起立側脚部を端子支持部７に形成した縦向き支持座７ｂの座面に突き合わせ、他方の脚部を支持座７ａの上に重ね、かつ端子導体にあらかじめ穿孔しておいた掛合穴４ａを先記した掛合突起７ｆに嵌合して定位置に位置決めした上で、一本のボルト６をボルト穴７ｄ（図１参照）に通して締結する。
上記の説明で明らかなように、本発明実施例の構成によれば、絶縁バー５を引出し形回路遮断器の収納用固定枠２に装着した状態で、その取付位置，向きを変えずに平形，Ｌ形のいずれの主回路端子３，４でも一本のボルト６で所定位置に締結固定することができ、主回路端子１個当たり二本のボルトで固定する従来構成（図６，図７参照）と比べて作業工数が削減できる。
【００１３】
また、図４，図５で述べたように、一本の絶縁バー５に対し、上下列に分けて電源側，負荷側の各相に対応する合計６個（３相用）の端子取付部７を分岐形成した構成としたことで、図６，図７の従来構成と比べて絶縁バー５を二本から一本に減らした上で、各相に対応する主回路端子を全て一本の絶縁バー５に集約して支持できる。しかも、電源側，負荷側の各主回路端子は、その取付位置が位置決め部材を兼ねた掛合突起７ｆとの嵌合により一義的に決められるので、上下列に並ぶ電源側，負荷側主回路端子の位置調整も不要となる。
【００１４】
【発明の効果】
以上述べたように、本発明の構成によれば、絶縁バーを共用支持部品として平形，Ｌ形のいずれの主回路端子にも対応させることができる。しかも、主回路端子の固定には、主回路端子１個あたりボルト１本で定位置に位置決め固定でき、また回路遮断器の電源側，負荷側の各相に対応する主回路端子を全て１本の絶縁バーに集約して取付けることで主回路端子の位置調整が不要にななるなど、従来構成の主回路端子支持具と比べて組立て施工の作業工数を大幅に削減できるなどの効果が得られ、特に当該支持具を引出し形回路遮断器の固定枠に装備した電源側，負荷側の主回路端子に適用することで、従来構成と比べて組立作業性の大幅な改善が図れる。
【図面の簡単な説明】
【図１】本発明の実施例による主回路端子支持具の端子取付部の詳細構造図で、（ａ）  は正面図、（ｂ）  は（ａ）  の矢視Ｘ−Ｘ断面図
【図２】図１の端子取付部に平形主回路端子を装着した状態を表す図で、（ａ），（ｂ）  はそれぞれ正面図，および側面図
【図３】図１の端子取付部にＬ形主回路端子を装着した状態を表す図で、（ａ），（ｂ）  はそれぞれ正面図，および側面図
【図４】引出し形回路遮断器の固定枠に適用した本発明実施例の図２に対応する支持具全体の構成図で、（ａ），（ｂ）  はそれぞれ側面図，および正面図
【図５】引出し形回路遮断器の固定枠に適用した本発明実施例の図３に対応する支持具全体の構成図で、（ａ），（ｂ）  はそれぞれ側面図，および正面図
【図６】図５に対応する従来構成図
【図７】図６に対応する従来構成図
【符号の説明】
１    引出し形回路遮断器
２    固定枠
３    平形主回路端子
４    Ｌ形主管路端子
５    絶縁バー
６    ボルト
７    端子取付部
７ａ  平形端子の支持座
７ｂ  Ｌ形端子の支持座
７ｃ，７ｄ  ボルト穴
７ｆ  掛合突起
【図１】
2004336964.tif 000003
【図２】
2004336964.tif 000004
【図３】
2004336964.tif 000005
【図４】
2004336964.tif 000006
【図５】
2004336964.tif 000007
【図６】
2004336964.tif 000008
【図７】
2004336964.tif 000009